(57)【特許請求の範囲】
【請求項１】
複数の貯蔵室を有する冷蔵庫に於いて、
横方向に分割された前記貯蔵室から成る小貯蔵室と、前記小貯蔵室どうしを区画する区画壁と、前記冷蔵庫の本体に配置される電子部品と、前記貯蔵室の奥側に配置されて前記電子部品に接続される配線と、を具備し、
前記配線を前記区画壁の内部に収納し、
前記配線が収納される部分の前記区画壁の側面を被覆するカバーを更に備え、
前記カバーの後方端部は前記区画壁に挿入され、前記カバーの前方端部は前記区画壁に係合され、
前記区画壁には、前記カバーに係合する係合爪が設けられ、
前記区画壁の前記係合爪が設けられる側面に対向する、前記区画壁の側面に孔部を設けることを特徴とする冷蔵庫。
【請求項２】
前記カバーの前端付近には、前記係合爪が係合する係合開口部が設けられることを特徴とする請求項１に記載の冷蔵庫。
【請求項３】
前記カバーは、前記区画壁の側面を被覆する側面部と、前記貯蔵室の上面および後面を被覆する上面部とを有することを特徴とする請求項１または請求項２の何れかに記載の冷蔵庫。
【請求項４】
前記小貯蔵室は、共に冷凍室であるか又は共に冷蔵室であることを特徴とする請求項１から請求項３の何れかに記載の冷蔵庫。
【発明の詳細な説明】
【技術分野】
【０００１】
本発明は冷蔵庫に関し、特に、横方向に並べられた小貯蔵室が区画壁で区画される冷蔵庫に関する。
【背景技術】
【０００２】
一般的な冷蔵庫は、冷蔵庫本体に複数の貯蔵室が設けられており、上方から冷蔵室、冷凍室、野菜室が順次配置されている。また、近年の冷蔵庫では、冷凍室の利便性を向上させるために、区画壁で区画された複数の小冷凍室を有するものも登場している。
【０００３】
冷蔵庫本体の内部奥側の下部には、各貯蔵室を冷却するための冷凍サイクルを構成する機器が配置されている。具体的には、冷凍サイクルを構成する圧縮機、凝縮器、膨張手段および蒸発器が配置されている。そして、冷凍サイクルにより冷却された冷気はファンにより各貯蔵室に供給され、これにより各貯蔵室は所望の温度に冷却される。
【０００４】
冷蔵庫本体には、冷気を循環させるためのファンモータ、各貯蔵室の室内温度を計測する温度センサ、各貯蔵室を閉鎖する扉の開閉を検知する開閉センサが配置されている。また、これらのモータや各種センサは配線を経由して制御手段と接続されている。
【０００５】
特許文献１を参照すると、このような配線を冷蔵庫の所定箇所に配設する構成が開示されている。具体的には、その図２およびこの説明箇所を参照して、冷蔵庫の断熱箱体１１を上下に仕切る仕切体４０が設けられている。そして、この仕切体４０の一部である仕切部材５４に電気配線が内蔵されている。
【先行技術文献】
【特許文献】
【０００６】
【特許文献１】特開２０１１−１２８８４号公報
【発明の概要】
【発明が解決しようとする課題】
【０００７】
しかしながら、上記した複数の小冷凍室を有する冷蔵庫では、小冷凍室同士を横方向に区画する区画壁が設けられているが、この区画壁がデッドスペースとなるので、スペースの有効活用の観点から改良の余地が有った。
【０００８】
また、上記した特許文献１に記載された発明では、貯蔵室を仕切る仕切部材５４に電気配線を配設しているものの、配線が配設された部分の仕切部材５４は容易に取り外し可能ではない。よって、冷蔵庫の製造時やメンテナンス時に、仕切部材５４に内蔵された配線やコネクタを操作することが困難である課題があった。
【０００９】
更にまた、冷蔵庫本体側に収納された配線がカバーで覆われた場合、このカバーはネジ等の締結手段で固定されるのが一般的であり、カバーの取付および取外しが容易でない課題があった。更には、冷蔵庫本体の内側の左右側面にカバーを取り付けた場合、そのカバーを固定するネジを回転させることが作業者にとって容易でない課題もあった。
【００１０】
本発明は上記の問題点を鑑みて成され、本発明の目的は冷蔵庫本体の内部空間を有効に用いて配線を配置することを可能とする冷蔵庫を提供することに有る。
【課題を解決するための手段】
【００１１】
本発明の冷蔵庫は、複数の貯蔵室を有する冷蔵庫に於いて、横方向に分割された前記貯蔵室から成る小貯蔵室と、前記小貯蔵室どうしを区画する区画壁と、前記冷蔵庫の本体に配置される電子部品と、前記貯蔵室の奥側に配置されて前記電子部品に接続される配線と、を具備し、前記配線を前記区画壁の内部に収納し、前記配線が収納される部分の前記区画壁の側面を被覆するカバーを更に備え、前記カバーの後方端部は前記区画壁に挿入され、前記カバーの前方端部は前記区画壁に係合され、前記区画壁には、前記カバーに係合する係合爪が設けられ、前記区画壁の前記係合爪が設けられる側面に対向する、前記区画壁の側面に孔部を設けることを特徴とする。
【００１４】
また、本発明の冷蔵庫は、前記カバーの前端付近には、前記係合爪が係合する係合開口部が設けられることを特徴とする。
【００１５】
また、本発明の冷蔵庫は、前記カバーは、前記区画壁の側面を被覆する側面部と、前記貯蔵室の上面および後面を被覆する上面部とを有することを特徴とする。
【００１６】
また、本発明の冷蔵庫は、前記小貯蔵室は、共に冷凍室であるか又は共に冷蔵室であることを特徴とする。
【発明の効果】
【００１７】
本発明の冷蔵庫は、複数の貯蔵室を有する冷蔵庫に於いて、横方向に分割された前記貯蔵室から成る小貯蔵室と、前記小貯蔵室どうしを区画する区画壁と、前記冷蔵庫の本体に配置される電子部品と、前記貯蔵室の奥側に配置されて前記電子部品に接続される配線と、を具備し、前記配線を前記区画壁の内部に収納し、前記配線が収納される部分の前記区画壁の側面を被覆するカバーを更に備え、前記カバーの後方端部は前記区画壁に挿入され、前記カバーの前方端部は前記区画壁に係合され、前記区画壁には、前記カバーに係合する係合爪が設けられ、前記区画壁の前記係合爪が設けられる側面に対向する、前記区画壁の側面に孔部を設けることを特徴とする。
【００１８】
よって、従来は所謂デッドスペースであった区画壁の内部空間に配線を配置しているので、冷蔵庫本体側に配線やコネクタを収納させるための領域を設ける必要がない。このことから、従来は配線等の為の領域であった部分に風路を確保することができ、内部容積を有効に用いることが可能となる。
【００２０】
よって、区画壁に係合されるカバーの前方端部の係合を解除するのみで、カバーを容易に開くことが出来る。従って、冷蔵庫の製造時やメンテナス時にカバーにより覆われている配線やコネクタを、作業者がカバーを開いて容易に区画壁から引き出して操作できる。一方、カバーは冷凍室の奥側に配置されており、冷蔵庫を使用する使用者はカバーを外すことは容易でないため、使用者がカバーにより覆われている配線に接触してしまうことが防止される。
【００２２】
また、本発明の冷蔵庫によれば、前記カバーの前端付近には、前記係合爪が係合する係合開口部が設けられる。よって、カバーの前端部に設けた係合開口部が、区画壁に形成された係合爪と係合するので、カバーと区画壁との係合が強固なものとなる。
【００２３】
また、本発明の冷蔵庫によれば、前記カバーは、前記区画壁の側面を被覆する側面部と、前記貯蔵室の上面および後面を被覆する上面部とを有する。よって、冷凍室の背面および側面から区画壁に向かって伸びる配線をカバー単体で覆うことが出来る。
【００２４】
また、本発明の冷蔵庫によれば、前記小貯蔵室は、共に冷凍室であるか又は共に冷蔵室である。よって、区画壁により区画される小貯蔵室どうしで温度差が無く、これらを断熱するための断熱材が不要なので、配線を収納させるための空間が区画壁の内部に容易に確保される。
【図面の簡単な説明】
【００２５】
【図１】本発明の冷蔵庫を示す図であり、（Ａ）は冷蔵庫を全体的に示す斜視図であり、（Ｂ）はその断面図である。
【図２】本発明の冷蔵庫を示す図であり、（Ａ）は冷蔵庫を制御する制御回路を示すブロック図であり、（Ｂ）は配線の配置を示す断面図である。
【図３】本発明の冷蔵庫を示す図であり、（Ａ）および（Ｂ）は区画壁を示す斜視図である。
【図４】本発明の冷蔵庫を示す図であり、（Ａ）は区画壁を示す斜視図であり、（Ｂ）はその断面図であり、（Ｃ）は要部の拡大断面図である。
【図５】本発明の冷蔵庫が備えるカバーを示す斜視図である。
【図６】本発明の冷蔵庫を示す図であり、（Ａ）および（Ｂ）は区画壁のカバーが配置される部分を示す斜視図である。
【図７】本発明の冷蔵庫を示す図であり、（Ａ）は区画壁を示す斜視図であり、（Ｂ）は孔部が配置される部分を示す側面図である。
【図８】本発明の冷蔵庫を示す図であり、（Ａ）から（Ｃ）は区画壁にカバーを係合させる方法を示す断面図である。
【図９】本発明の冷蔵庫を示す図であり、（Ａ）から（Ｃ）は区画壁からカバーを外す方法を示す断面図である。
【発明を実施するための形態】
【００２６】
以下、図を参照して本発明の実施の形態にかかる冷蔵庫１０を説明する。
【００２７】
図１を参照して、冷蔵庫１０の概略的構成を説明する。図１（Ａ）は冷蔵庫１０を全体的に示す斜視図であり、図１（Ｂ）は図１（Ａ）のＸ−Ｘ線で冷蔵庫１０を切断した場合の断面図である。
【００２８】
本形態では、上下前後左右の各方向を適宜用いて冷蔵庫１０の構成等を説明する。ここで、左右方向とは、冷蔵庫１０を正面から見た場合の方向を示している。
【００２９】
図１（Ａ）に示すように、本実施形態に係る冷蔵庫１０は、断熱箱体である冷蔵庫本体１２を備え、この冷蔵庫本体１２の内部に食品等を貯蔵する貯蔵室が形成されている。この貯蔵室として、上方から、冷蔵室１４、左冷凍室１８Ａおよび右冷凍室１８Ｂ、下段冷凍室１８Ｃ並びに野菜室２２が形成されている。
【００３０】
ここで、左冷凍室１８Ａ、右冷凍室１８Ｂおよび下段冷凍室１８Ｃは、一つの冷凍室１８（貯蔵室）を区切ることで形成された小冷凍室（小貯蔵室）である。即ち、冷凍室１８の下方部分は下段冷凍室１８Ｃであり、冷凍室１８の上方左方部分は左冷凍室１８Ａであり、冷凍室１８の上方右方部分は右冷凍室１８Ｂである。そして、左冷凍室１８Ａと右冷凍室１８Ｂとは区画壁１６で区画されている。本形態では、冷蔵庫本体１２に内蔵された各種センサ等の電子部品と接続された配線をこの区画壁１６に収納されているが、係る構成は図３等を参照して後述する。
【００３１】
冷蔵庫１０の基本的な機能は、各貯蔵室に収納された食品等の被貯蔵物を所定の温度に冷却することにある。一例として、冷蔵室１４の庫内温度は冷蔵温度域であり、冷凍室の庫内温度は冷凍温度域であり、野菜室２２の庫内温度は冷蔵温度域である。
【００３２】
冷蔵庫本体１２の前面は開口しており、各貯蔵室の開口部には、各々扉が開閉自在に設けられている。冷蔵室１４を塞ぐ扉２４は、右側上下部が冷蔵庫本体１２に回転自在に支持されている。また、左冷凍室１８Ａ、右冷凍室１８Ｂ、下段冷凍室１８Ｃおよび野菜室２２は、夫々、引き出し自在な扉２６Ａ、２６Ｂ、２８および３０で塞がれている。
【００３３】
図１（Ｂ）を参照して、冷蔵庫１０の冷蔵庫本体１２は、前面に開口部を有する鋼板製の外箱１２ａと、外箱１２ａの内側に間隙を持たせて配設されて前面に開口部を有する合成樹脂製の内箱１２ｂと、外箱１２ａと内箱１２ｂとの間隙に充填発泡された発泡ポリウレタン製の断熱材１２ｃと、から構成されている。尚、各扉２４〜３０も同様の断熱構造を採用している。また、冷蔵室１４と冷凍室１８との間にも断熱仕切壁１５が配置されており、冷凍室１８と野菜室２２との間にも断熱仕切壁１７が配置されている。これらの断熱仕切壁１５、１７も、冷蔵庫本体１２と同様の断熱構造を採用している。
【００３４】
下段冷凍室１８Ｃの後方に形成された冷却室の内部には、上記した各貯蔵室を循環する空気を冷却するための冷却器３６（蒸発器）が配置されている。冷却器３６は、圧縮機３８、放熱器（図示せず）、膨張弁（キャピラリーチューブ）（図示せず）と冷媒配管を介して接続されており、蒸気圧縮式の冷凍サイクル回路を構成している。冷凍サイクルを構成する圧縮機３８、放熱器（図示せず）および膨張弁等（図示せず）は、野菜室２２の後方に区画形成された機械室４０に収納されている。
【００３５】
図２を参照して、上記した冷蔵庫１０の冷却動作を制御する制御機構を説明する。図２（Ａ）はこの制御機構を示すブロック図であり、図２（Ｂ）はセンサ等の電子部品と接続される配線７０の配置を示す断面図である。
【００３６】
図２（Ａ）を参照して、冷蔵庫１０が備える冷蔵室１４、冷凍室１８および野菜室２２の庫内温度は、温度センサ４２、４４、４６で計測されている。また、上記した各貯蔵室の開口を閉鎖する扉２４、２６Ａ、２６Ｂ、２８、３０の開閉は、開閉センサ４８、５０、５２、５４、５６で検知されている。
【００３７】
温度センサ４２、４４、４６で計測された庫内温度を示す電気信号は、後述する配線７０を経由して制御装置３４に伝送される。また、開閉センサ４８、５０、５２、５４、５６で検知された扉の開閉状態を示す電気信号も、後述する配線７０を経由して制御装置３４に伝送される。ここでは、冷蔵室１４等には、複数の温度センサ４２等が備えられても良い。
【００３８】
制御装置３４は、所定の演算を実行するマイクロプロセッサを備え、具体的には後述する制御基板４１に実装された半導体素子から構成される。制御装置３４の入力側端子は上記した各温度センサ４２等および各開閉センサ４８等と接続され、制御装置３４の出力側端子は後述する報知装置５８、冷凍サイクル６０および送風ファン６２と接続される。
【００３９】
報知装置５８は、冷蔵庫本体１２や扉２４等に備え付けられ、音や光を発することで使用者に対して報知を行う。
【００４０】
冷凍サイクル６０は、上記したように、冷媒配管を介して接続された圧縮機、放熱器、膨張弁および冷却器から成り、各貯蔵室に供給される冷気を冷却する。
【００４１】
送風ファン６２は、所定の速度で回転することにより、上記した冷凍サイクル６０で冷却された冷気を各貯蔵室に供給する。
【００４２】
上記した報知装置５８、冷凍サイクル６０、送風ファン６２も後述する配線７０を経由して制御基板４１と接続されている。
【００４３】
上記した制御装置３４は、次のように動作する。即ち、温度センサ４２から入力される庫内温度を示す電気信号に基いて制御装置３４は演算処理を行い、冷蔵室１４の庫内温度が一定以上であれば冷凍サイクル６０と送風ファン６２を動作させる。これにより、冷凍サイクル６０により冷却された冷気が送風ファン６２により冷蔵室１４に供給され、冷蔵室１４の庫内温度が所定の温度範囲に保たれる。冷凍室１８および野菜室２２に関しても同様に、温度センサ４４、４６を用いて庫内温度が所定の範囲内に保たれる。
【００４４】
また、制御装置３４は、開閉センサ４８から入力される電気信号に基いて演算処理を行い、扉２４が開いている時間が一定以上となれば報知装置５８を動作させる。これにより、報知装置５８から光や音が発せられ、使用者は扉２４が開状態のままであることを認識し、扉２４を閉じるようになる。扉２６Ａ、２６Ｂ、２８、３０に関しても同様に、開閉センサ５０、５２、５４、５６を用いて、開状態が一定時間以上となれば報知装置５８による報知が行われる。ここで、開閉センサ４８等は冷蔵庫１０の全ての扉２４等に配置されても良いし、一部の扉のみに配置されても良い。
【００４５】
図２（Ｂ）を参照して、上記した各種センサの接続に用いられる配線７０に関して説明する。
【００４６】
開閉センサ４８は、冷蔵庫本体１２の前方上端部付近に配置されている。開閉センサ４８は所謂スイッチ式センサであり、冷蔵室１４を閉鎖する扉２４に押圧されることで、扉２４が閉状態であることを検知する。開閉センサ４８は、配線７０を経由して機械室４０に内蔵された制御基板４１に接続される。
【００４７】
配線７０は絶縁樹脂で周囲が被覆された導線から成り、冷蔵庫本体１２の内部にて内箱１２ｂの外側面に沿うように配置されている。上記した温度センサ４２等の各電子部品は、配線７０を経由して個別に制御基板４１に実装された制御装置３４に接続される。
【００４８】
温度センサ４２は、冷蔵室１４内部の内箱１２ｂの内側に設けられたマルチダクトに配置されており、配線７０を経由して制御基板４１と接続されている。
【００４９】
開閉センサ５０は、冷凍室１８の内部にて、扉２６Ａに設けられたレール（図１（Ｂ））の後端付近に配置されており、配線７０を経由して制御基板４１と接続されている。開閉センサ５０は、磁気センサ（ホール素子）であり、扉２６Ａのレール後端に設置された磁石から発せられる磁界の大きさを検出する。開閉センサ５０により検出された磁界の大きさが一定以上であれば扉２６Ａが閉状態と判断される一方、その磁界の大きさが一定未満であれば扉２６Ａが開状態と判断される。
【００５０】
温度センサ４４は、冷凍室１８内部のファンモータ組立２０（図３参照）に配置されており、配線７０を経由して制御基板４１と接続されている。
【００５１】
開閉センサ５６は、上記した開閉センサ５０と同様の構成で、扉３０の開閉状態を検出する磁気センサであり、配線７０を経由して制御基板４１と接続されている。
【００５２】
温度センサ４６は、野菜室２２内部に配設された中仕切りの下方に配置されており、配線７０を経由して制御基板４１と接続されている。
【００５３】
制御基板４１は、機械室４０の内部に縦方向に立設された基板であり、上記した制御装置３４を実現させる回路が組み込まれた半導体素子が実装されている。上記した各温度センサ４２等および開閉センサ４８等は、配線７０を経由して個別に制御基板４１と接続されている。また、配線７０は、制御基板４１の表面に形成された導電パターンを介して制御装置３４と接続される。
【００５４】
本形態では、ファンモータ組立２０（図３参照）に内蔵された温度センサ４４および開閉センサ５０と接続された配線７０の一部分およびコネクタを、区画壁１６（図１（Ａ））に内蔵させている。製造時やメンテナンス時に作業者が配線７０を操作する方法は図９等を参照して後述する。
【００５５】
図３を参照して、上記した冷凍室を区画する区画壁１６に関して説明する。図３（Ａ）は冷蔵庫１０の区画壁１６が配置される箇所を下方から見た斜視図であり、図３（Ｂ）はカバー６４を省いて同箇所を拡大して示した斜視図である。
【００５６】
図３（Ａ）を参照して、区画壁１６は射出成形により形成された合成樹脂から成る壁状の部材であり、左冷凍室１８Ａと右冷凍室１８Ｂ（図１（Ａ））とを区画するものである。区画壁１６の上面は断熱仕切壁１５の下面に当接し、区画壁１６の後方側面はファンモータ組立２０に当接している。ここで、ファンモータ組立２０とは、風路およびファンモータが内蔵された組立体であり、冷蔵庫本体１２の内壁に組み込まれている。
【００５７】
区画壁１６の左方側面の後端上部はカバー６４により覆われている。このカバー６４は、区画壁１６に収納される配線７０Ａ等を覆う部材であり、その詳細は図５等を参照して詳述する。
【００５８】
図３（Ｂ）に示すように、本形態では、温度センサ等の電子部品に接続される配線の一部およびコネクタ（図示せず）を区画壁１６の収納領域６６に収納している。具体的には、上記したファンモータ（図示せず）や温度センサ５０（図２（Ｂ））と接続された配線７０Ａを冷凍室１８の後面から引き出し、区画壁１６の収納領域６６に収納している。また、上記した制御基板４１（図２（Ｂ））と接続された配線７０Ｂは、断熱仕切壁１５の下面を開口させた開口部７２から引き出され、収納領域６６に収納されている。また、開閉センサ５０（図２（Ｂ））と接続された配線７０Ｃも、収納領域６６に収納されている。このようにすることで、従来はデッドスペースであった区画壁１６の内部空間を、配線７０やコネクタを収納するための領域として用いることが出来る。
【００５９】
図４を参照して、上記した区画壁１６の構成を詳述する。図４（Ａ）は区画壁１６を示す斜視図であり、図４（Ｂ）は図４（Ａ）に示す区画壁１６をＹ−Ｙ線に沿って水平に切断した場合の断面図であり、図４（Ｃ）は図４（Ｂ）の要所を拡大して示す拡大断面図である。また、図４（Ｂ）および図４（Ｃ）では、区画壁１６を粗いハッチングで示し、カバー６４を密なハッチングで示している。
【００６０】
図４（Ａ）を参照して、区画壁１６は左側面１６Ａと右側面１６Ｂとを有し、上記した配線を覆うカバー６４は、左側面１６Ａの後方上端に組み込まれている。また、区画壁１６の内部には、機械的強度を向上させるために、前後方向および上下方向に伸びる内部壁が格子状に形成されている。
【００６１】
また、図１（Ａ）に示したように、区画壁１６は、左冷凍室１８Ａと右冷凍室１８Ｂとを区画している。区画される左冷凍室１８Ａと右冷凍室１８Ｂとは共に冷凍室であり温度差が無いので、区画壁１６に断熱材を内蔵させる必要はない。本形態では、断熱材が不要とされた区画壁１６の内部空間を、上記したように配線７０等を収納させる空間として用いている。
【００６２】
図４（Ｂ）を参照して、カバー６４の後方端部は、区画壁１６の後方側面を開口した挿入開口部８０に挿入されている。また、カバー６４の前方端部は、区画壁１６の一部である係合凸部６８と係合している。係る構成により、カバー６４は区画壁１６に対して固定されている。
【００６３】
また、区画壁１６のカバー６４に覆われる部分は、上記した配線７０が収納される収納領域６６が形成されている。収納領域６６は内壁１６Ｃ、１６Ｄにて前後方向に区画されている。これにより、収納領域６６に収納された配線７０が区画壁１６の内部にて移動することが規制される。また、収納領域６６の左方には、上方に突出する壁状のフック８２が複数形成されており、配線７０はフック８２で右方に寄せられている。
【００６４】
図４（Ｃ）を参照して、カバー６４の前方端部が係合する構造を説明する。カバー６４の前方端部には、右方に向かって伸びる側壁部６４Ｃが形成されており、この側壁部６４Ｃの一部を開口して係合開口部７４が形成されている。一方、区画壁１６には、内壁１６Ｅから後方に突起した係合凸部６８が形成されている。そして、カバー６４の係合開口部７４に、係合凸部６８が係合している。具体的には、係合凸部６８の先端部分である係合爪部６８Ｂが、カバー６４の側壁部６４Ｃに設けた係合開口部７４に内側から当接している。係る構成により、カバー６４の前端部は区画壁１６に強固に係合している。
【００６５】
一方、カバー６４の後端部は、図４（Ｂ）を参照して、区画壁１６の後端に配置された内壁１６Ｆを開口した挿入開口部８０に挿入されている。これにより、カバー６４を区画壁１６から外す際に、挿入開口部８０に挿入されているカバー６４の後端部を支点として回転させることができる。この事項は図９を参照して詳述する。
【００６６】
図５を参照して、上記したカバー６４の構造を説明する。カバー６４は、側面部６４Ａと上面部６４Ｂとを有している。
【００６７】
側面部６４Ａは、上記した区画壁１６（図４（Ａ））の側面を被覆する部位である。側面部６４Ａの前端部には右方に伸びる側壁部６４Ｃが形成されており、この側壁部６４Ｃの一部を開口させて係合開口部７４が形成されている。また、側面部６４Ａの後端部分を部分的に後方に突出させて挿入凸部６４Ｄが形成されている。挿入凸部６４Ｄは、図４（Ｂ）に示した区画壁１６の挿入開口部８０に挿入される。
【００６８】
上面部６４Ｂは、側面部６４Ａの上部と連続して略トレー形状を呈する部位であり、図３（Ｂ）に示したように、冷蔵庫本体１２の内壁（冷凍室の後面）から引き出される配線７０を被覆する部位である。具体的には、上面部６４Ｂは、側面部６４Ａ上端から水平に延在する底面部６４Ｅと、底面部６４Ｅの前方、左方および後方の周辺端部から上方に立設された壁部６４Ｆとを有している。また、底面部６４Ｅの右方後端の側辺は、区画壁１６に当接する当接部６４Ｇとされている。
【００６９】
図６を参照して、上記したカバー６４が区画壁１６に備えられる構成を更に説明する。図６（Ａ）はカバー６４が取り外された状態の区画壁１６を部分的に示す斜視図であり、図６（Ｂ）はカバー６４が備えられている状態の区画壁１６を部分的に示す斜視図である。
【００７０】
図６（Ａ）を参照して、区画壁１６の内部に設けられる係合凸部６８は、内壁１６Ｅから後方に箱状に突出した突起部として形成されている。よって、箱状を呈する係合凸部６８は容易に変形しない。また、係合凸部６８の側面の一部は、後方に向かって右方に傾斜する傾斜面６８Ａとされている。更に、係合凸部６８の後部を部分的に更に後方に突出させた係合爪部６８Ｂが形成されている。傾斜面６８Ａおよび係合爪部６８Ｂの機能は図９を参照して後述する。
【００７１】
また、区画壁１６の左側面の後方上端部付近に平坦な当接面１６Ｇが形成されている。当接面１６Ｇは後述するように、カバー６４の特定の部位が当接する部分である。また、上記したように、区画壁１６の後端に配置された内壁１６Ｆを矩形形状に開口して挿入開口部８０が形成されている。
【００７２】
図６（Ｂ）を参照して、区画壁１６にカバー６４を組み付けると、カバー６４の後端に形成された挿入凸部６４Ｄが、区画壁１６の挿入開口部８０に挿入される。また、カバー６４の当接部６４Ｇが、区画壁１６の当接面１６Ｇに当接するようになる。これにより、カバー６４の後端部分が区画壁１６に固定される。カバー６４の当接部６４Ｇは、後方に向かって区画壁１６から離間するように傾斜している。当接部６４Ｇがこのように傾斜することで、カバー６４を区画壁１６から外す際に、カバー６４を、その後端部分を支点として回転させることが出来る。
【００７３】
図７を参照して、区画壁１６の構成を更に後述する。図７は区画壁１６を全体的に示す斜視図であり、図７（Ｂ）は右方から区画壁１６を見た側面図である。図７（Ｂ）ではカバー６４をハッチングで示している。
【００７４】
図７（Ａ）を参照して、区画壁１６の左側面１６Ａには、図６（Ａ）等を参照して上記したようにカバー６４（ここでは図示せず）が組み付けられる。一方、区画壁１６の右側面１６Ｂの一部を矩形に開口して孔部７６が形成されている。孔部７６は、メンテナンス時にカバー６４を外す際に、作業者が指を挿入するためのものであり、その詳細は図９を参照して後述する。
【００７５】
図７（Ｂ）を参照して、孔部７６を右方から見た場合、カバー６４の側壁部６４Ｃと、区画壁１６の係合凸部６８とが係合する係合部位は、孔部７６の外周縁部の内側に位置している。よって、この係合部位は孔部７６の直近に配置されているので、後述するように、メンテナンス時に作業者が孔部７６から指を挿入することで、この係合を容易に解除することが出来る。
【００７６】
図８を参照して、次に、区画壁１６にカバー６４を組み付ける方法を説明する。図８の各図は、この組み付け方法を逐次的に示す断面図である。これらの図は、図４（Ａ）に示すＹ−Ｙ線で区画壁１６を水平に切断した場合の断面図である。更にここでは、カバー６４が回転する方向を太線の矢印で示している。
【００７７】
図８（Ａ）を参照して、先ず、区画壁１６の収納領域６６には配線（図示せず）やコネクタ（図示せず）が収納される。収納領域６６の後方、前方および左方は、内壁１６Ｃ、内壁１６Ｄおよびフック８２で囲まれている。よって、カバー６４が区画壁１６に組み付けられる前であっても、収納領域６６に収納された配線等が外部にはみ出してしまうことが防止されている。
【００７８】
次に、同図に示すように、カバー６４の後端に形成された挿入凸部６４Ｄを、区画壁１６の挿入開口部８０に挿入する。挿入開口部８０は挿入凸部６４Ｄよりも大きく形成されるので、挿入開口部８０に挿入された挿入凸部６４Ｄを支点として、カバー６４を紙面上にて反時計回りに回転させることが可能となる。
【００７９】
図８（Ｂ）を参照して、カバー６４を反時計回りに回転させると、カバー６４の前端に形成された側壁部６４Ｃが、区画壁１６の係合凸部６８に接触する。ここで、カバー６４の側壁部６４Ｃの右方端部は後方に傾斜する傾斜面を呈している。また、区画壁１６に形成される係合凸部６８の傾斜面６８Ａも、後方に向かって右方に傾斜している。そして、カバー６４の側壁部６４Ｃは板状であり容易に弾性変形する一方、区画壁１６の係合凸部６８は略箱型を呈しており容易に変形しない。
【００８０】
よって、カバー６４を回転させることで、カバー６４の側壁部６４Ｃを区画壁１６の係合凸部６８に接触させ、更にカバー６４を右方に押し込むと、カバー６４の側壁部６４Ｃは、係合凸部６８の傾斜面６８Ａと摺動しつつ後方に湾曲する。
【００８１】
図８（Ｃ）を参照して、上記の状態からカバー６４を更に右方に押し込むと、区画壁１６の係合凸部６８の後端に形成された係合爪部６８Ｂが、カバー６４の係合開口部７４に係合する。具体的には、図４（Ｃ）で示したように、係合爪部６８Ｂは、係合開口部７４の右方端部に接触するようになる。係る構成により、カバー６４の前方端部は区画壁１６の係合凸部６８と係合している。よって、区画壁１６に対してカバー６４は強固に組み付けられており、使用状況下にて冷蔵庫１０に作用する振動等に起因してカバー６４が区画壁１６から外れることが防止されている。
【００８２】
上記のようにカバー６４が区画壁１６に収納された後は、図１（Ａ）に示すように、扉２６Ａおよび扉２６Ｂで、左冷凍室１８Ａおよび右冷凍室１８Ｂの開口を閉鎖する。
【００８３】
図９を参照して、区画壁１６の収納領域６６から配線（図示せず）を取り出す際に、カバー６４を区画壁１６から外す方法を説明する。図９の各図は、この方法を逐次的に示す断面図である。この取り外しは、冷蔵庫１０をメンテナンスする際に、冷蔵庫１０を取り扱う作業者が行う。
【００８４】
カバー６４の取り外しに先行して、先ず、図１（Ａ）に示すように、扉２６Ａおよび扉２６Ｂを、左冷凍室１８Ａおよび右冷凍室１８Ｂから引き出す。これにより、冷蔵庫本体１２の前面開口に区画壁１６が露出するので、後述するカバー６４の取り扱いが可能となる。また、下記するカバー６４の取り外しは、作業者が右冷凍室１８Ｂに手を挿入することで行う。一方、配線の操作等は、作業者が左冷凍室１８Ａに手を挿入することで行う。
【００８５】
図９（Ａ）を参照して、次に、区画壁１６の孔部７６を経由して、作業者の指７８を区画壁１６の内部に挿入する。これにより、作業者の指７８はカバー６４の側壁部６４Ｃの右端に接触する。カバー６４の側壁部６４Ｃは、孔部７６の近傍まで延在しているので、作業者の指７８は側壁部６４Ｃに容易に接触する。
【００８６】
図９（Ｂ）を参照して、次に、カバー６４の側壁部６４Ｃを指７８で後方に押圧する。上記したように、カバー６４の側壁部６４Ｃは弾性変形することが可能な樹脂板から成るので、この押圧により側壁部６４Ｃは後方に弾性変形する。これにより、係合凸部６８の係合爪部６８Ｂと、カバー６４の側壁部６４Ｃに形成された係合開口部７４との係合が解除される。
【００８７】
図９（Ｃ）を参照して、次に、上記係合を解除した状態のまま、カバー６４を時計回りに回転させて開けると、収納領域６６に収納された配線（図示せず）が区画壁１６から外部に露出するようになる。上記したように、カバー６４の後端に形成された挿入凸部６４Ｄは、区画壁１６に形成された挿入開口部８０に挿入されているので、カバー６４はその後端部分を支点として容易に回転出来る。
【００８８】
カバー６４を回転させた後に、作業者は区画壁１６の収納領域６６から配線（図示せず）やコネクタを外部に取り出し、メンテナンス等を行う。
【００８９】
上記の作業が終了した後は、区画壁１６の収納領域６６に配線を収納させ、図８を参照して説明した手順でカバー６４を区画壁１６に組み付ける。その後、図１（Ａ）を参照して、左冷凍室１８Ａおよび右冷凍室１８Ｂを、扉２６Ａおよび扉２６Ｂで閉鎖する。
【００９０】
カバー６４は区画壁１６の後端付近に配置されているので、作業者がカバー６４の係合を解除することは容易で無い。本形態では、上記のように、カバー６４が係合される部分（側壁部６４Ｃ）に、操作用の孔部７６を設けることで、作業者が容易にカバー６４の係合を解除できるようにしている。
【００９１】
以上、本実施の形態にかかる冷蔵庫１０に関して説明したが、本発明は、上記の実施形態に限定されるものではなく、本発明の要旨を逸脱しない範囲で、種々の変更が可能である。
【００９２】
例えば、図１（Ａ）を参照すると、区画壁１６は左冷凍室１８Ａと右冷凍室１８Ｂとを区画するように配置されていたが、小冷蔵室どうしを区画するように区画壁１６を設けても良い。
【符号の説明】
【００９３】
１０   冷蔵庫
１２   冷蔵庫本体
１２ａ 外箱
１２ｂ 内箱
１２ｃ 断熱材
１４   冷蔵室
１５   断熱仕切壁
１６   区画壁
１６Ａ 左側面
１６Ｂ 右側面
１６Ｃ 内壁
１６Ｄ 内壁
１６Ｅ 内壁
１６Ｆ 内壁
１６Ｇ 当接面
１７   断熱仕切壁
１８   冷凍室
１８Ａ 左冷凍室
１８Ｂ 右冷凍室
１８Ｃ 下段冷凍室
２０   ファンモータ組立
２２   野菜室
２４   扉
２６Ａ 扉
２６Ｂ 扉
２８   扉
３０   扉
３４   制御装置
３６   冷却器
３８   圧縮機
４０   機械室
４１   制御基板
４２   温度センサ
４４   温度センサ
４６   温度センサ
４８   開閉センサ
５０   開閉センサ
５２   開閉センサ
５４   開閉センサ
５６   開閉センサ
５８   報知装置
６０   冷凍サイクル
６２   送風ファン
６４   カバー
６４Ａ 側面部
６４Ｂ 上面部
６４Ｃ 側壁部
６４Ｄ 挿入凸部
６４Ｅ 底面部
６４Ｆ 壁部
６４Ｇ 当接部
６６   収納領域
６８   係合凸部
６８Ａ 傾斜面
６８Ｂ 係合爪部
７０、７０Ａ、７０Ｂ、７０Ｃ      配線
７２   開口部
７４   係合開口部
７６   孔部
７８   指
８０   挿入開口部
８２   フック
【図１】
0006475964.tif 000002
【図２】
0006475964.tif 000003
【図３】
0006475964.tif 000004
【図４】
0006475964.tif 000005
【図５】
0006475964.tif 000006
【図６】
0006475964.tif 000007
【図７】
0006475964.tif 000008
【図８】
0006475964.tif 000009
【図９】
0006475964.tif 000010